(57)【特許請求の範囲】
【請求項１】
軒樋の開口の一部を閉塞可能とするカバー部材と、
前記カバー部材に接続し、前記軒樋の内部に取り付けられるベース部材とを備え、
前記ベース部材の外面には、
前記軒樋の内面に当接して当該軒樋に対して当該ベース部材を位置決めするための第１位置決め面及び複数の第２位置決め面が設けられ、
前記第１位置決め面には、
前記ベース部材を前記軒樋に取り付ける取付具を挿入するための取付用孔が形成され、
前記第１位置決め面は、
形状の異なる複数種類の前記軒樋に対して、共通に用いられ、
前記複数の第２位置決め面は、
前記複数種類の軒樋の種類毎に、異なる前記第２位置決め面が用いられる
ことを特徴とするカバー。
【請求項２】
前記ベース部材は、前記軒樋に位置決めされる際、前記第１位置決め面と、前記複数の第２位置決め面のうち、１つの第２位置決め面とが用いられる
ことを特徴とする請求項１に記載のカバー。
【請求項３】
前記第１位置決め面及び前記複数の第２位置決め面は、
前記ベース部材の外面において、前記軒樋の長手軸を中心とする周方向の異なる位置にそれぞれ設けられている
ことを特徴とする請求項１または２に記載のカバー。
【請求項４】
前記カバー部材は、
前記ベース部材とは別体で構成されるとともに複数設けられ、前記複数種類の軒樋の種類毎に、異なる前記カバー部材が用いられる
ことを特徴とする請求項１〜３のいずれか一つに記載のカバー。
【請求項５】
屋根と、
前記屋根の下縁に対して当該下縁の長手方向に沿って配設される軒樋と、
請求項１〜４のいずれか一つに記載のカバーとを備える
ことを特徴とする屋根構造体。
【発明の詳細な説明】
【技術分野】
【０００１】
本発明は、軒樋の開口の一部を閉塞可能とするカバー、及び当該カバーを備えた屋根構造体に関する。
【背景技術】
【０００２】
従来、軒樋の開口の一部を閉塞可能とする雪除け用のカバーが提案されている（例えば、特許文献１参照）。
特許文献１に記載のカバーは、軒樋（軒樋本体）の開口の一部を閉塞可能とするカバー体と、カバー体に対して連結片部を介して一体形成され、軒樋の内部に取り付けられる嵌合片部とを備える。ここで、嵌合片部は、軒樋の内面形状に倣う外形形状を有し、当該軒樋に嵌合固定される。
【先行技術文献】
【特許文献】
【０００３】
【特許文献１】実開平０３−０８６９３４号公報（第４図）
【発明の概要】
【発明が解決しようとする課題】
【０００４】
ところで、軒樋は、特許文献１に記載のように建物の屋根に設けられる他、カーポートやテラス屋根等、種々の構造物に用いられ、その形状も複数種類、設計されている。このため、形状の異なる複数種類の軒樋にそれぞれ用いることができれば、汎用性の高いカバーとして構成することができる。
しかしながら、特許文献１に記載のカバーは、嵌合片部が軒樋の内面形状に倣う外形形状を有しているため、特定の軒樋専用のカバーとなり、複数種類の軒樋にそれぞれ用いることができない、という問題がある。
【０００５】
本発明は、上記実情に鑑みて、形状の異なる複数種類の軒樋に用いることができ、汎用性を向上させることができるカバー、及び当該カバーを備えた屋根構造体を提供することを目的とする。
【課題を解決するための手段】
【０００６】
上記目的を達成するため、本発明に係るカバーは、軒樋の開口の一部を閉塞可能とするカバー部材と、前記カバー部材に接続し、前記軒樋の内部に取り付けられるベース部材とを備え、前記ベース部材の外面には、前記軒樋の内面に当接して当該軒樋に対して当該ベース部材を位置決めするための第１位置決め面及び複数の第２位置決め面が設けられ、前記第１位置決め面には、前記ベース部材を前記軒樋に取り付ける取付具を挿入するための取付用孔が形成され、前記第１位置決め面は、形状の異なる複数種類の前記軒樋に対して、共通に用いられ、前記複数の第２位置決め面は、前記複数種類の軒樋の種類毎に、異なる前記第２位置決め面が用いられることを特徴とする。
【０００７】
本発明に係るカバーでは、軒樋の内部に取り付けられるベース部材の外面に上述した第１位置決め面と複数の第２位置決め面とが設けられている。このため、以下の効果を奏する。なお、以下では、説明の便宜上、軒樋が２種類であり、第２位置決め面が２つ設けられている場合を例に説明するが、軒樋の種類が３種類以上であり、第２位置決め面の数が３つ以上である場合も本発明に含まれるものである。
すなわち、２種類の軒樋のうち一方の軒樋（以下、第１の軒樋と記載）に対しては、当該第１の軒樋の内面に対して、カバー（ベース部材）における第１位置決め面と２つの第２位置決め面のうち一方の第２位置決め面とを当接する。これにより、カバー（ベース部材）は、第１の軒樋に対して位置決めされる。そして、第１の軒樋を介して第１位置決め面に形成された取付用孔に取付具を取り付けることにより、第１の軒樋に対してカバー（ベース部材）が固定される。
また、２種類の軒樋のうち上述した第１の軒樋とは形状の異なる他方の軒樋（以下、第２の軒樋と記載）に対しては、当該第２の軒樋の内面に対して、カバー（ベース部材）における第１位置決め面と２つの第２位置決め面のうち上述した一方の第２位置決め面とは異なる位置に形成された他方の第２位置決め面とを当接する。これにより、カバー（ベース部材）は、第２の軒樋に対して位置決めされる。そして、第２の軒樋を介して第１位置決め面に形成された取付用孔に取付具を取り付けることにより、第２の軒樋に対してカバー（ベース部材）が固定される。
以上のように、本発明に係るカバーによれば、形状の異なる複数種類の軒樋にそれぞれ用いることができ、汎用性を向上させることができる、という効果を奏する。
【０００８】
また、本発明は、上述したカバーにおいて、前記ベース部材は、前記軒樋に位置決めされる際、前記第１位置決め面と、前記複数の第２位置決め面のうち、１つの第２位置決め面とが用いられることを特徴とする。
本発明に係るカバーでは、ベース部材は、１つの第１位置決め面と、１つの第２位置決め面との２つの位置決め面のみで軒樋に対して位置決めされる。このため、必要最低限の数の位置決め面を用いて、軒樋に対してベース部材を容易に位置決めすることができる。また、１種類の軒樋に対して複数の第２位置決め面のうちの１つの第２位置決め面を用いるため、軒樋の種類に応じた数だけ第２位置決め面をベース部材の外面に設ければよく、ベース部材の外面形状が複雑化することがない。
【０００９】
また、本発明は、上述したカバーにおいて、前記第１位置決め面及び前記複数の第２位置決め面は、前記ベース部材の外面において、前記軒樋の長手軸を中心とする周方向の異なる位置にそれぞれ設けられていることを特徴とする。
ところで、軒樋の種類によっては、その内面が当該軒樋の長手軸を中心とする略円弧状の湾曲面を有するように形成されている場合がある。このような場合には、ベース部材を軒樋の内部に設置した状態で、当該ベース部材が上述した長手軸を中心として回転し、当該軒樋に対して当該ベース部材を適切に位置決めすることが難しい。
これに対して、本発明に係るカバーでは、第１位置決め面、及び複数の第２位置決め面は、ベース部材の外面において、上述した長手軸を中心とする周方向の異なる位置にそれぞれ設けられている。このため、軒樋の内面に対して第１，第２位置決め面を当接すれば、当該第１，第２位置決め面によりベース部材の回転を抑制し、当該軒樋に対して当該ベース部材を適切に位置決めすることができる。
【００１０】
また、本発明は、上述したカバーにおいて、前記カバー部材は、前記ベース部材とは別体で構成されるとともに複数設けられ、前記複数種類の軒樋の種類毎に、異なる前記カバー部材が用いられることを特徴とする。
本発明に係るカバーでは、カバー部材は、上述したように構成されている。このため、カバー部材を複数種類の軒樋の種類に応じて使い分けることができ、いずれの種類の軒樋に対しても、当該軒樋の開口の一部を適切に閉塞することができる。
【００１１】
また、本発明に係る屋根構造体は、屋根と、前記屋根の下縁に対して当該下縁の長手方向に沿って配設される軒樋と、上述したカバーとを備えることを特徴とする。
本発明に係る屋根構造体は、上述したカバーを備えるため、上述したカバーと同様の作用及び効果を奏する。
【発明の効果】
【００１２】
本発明に係るカバー及び屋根構造体によれば、形状の異なる複数種類の軒樋にそれぞれ用いることができ、汎用性を向上させることができる、という効果を奏する。
【図面の簡単な説明】
【００１３】
【図１】図１は、本発明の実施の形態に係るテラス屋根を示す斜視図である。
【図２】図２は、図１に示した前枠を示す斜視図である。
【図３】図３は、図２に示した軒樋に取り付けられるカバーを示す分解斜視図である。
【図４】図４は、図３に示したベース部材を当該ベース部材の長手軸に沿う方向から見た図である。
【図５Ａ】図５Ａは、図２に示した軒樋に対して図３に示したカバーを取り付ける手順を示す図である。
【図５Ｂ】図５Ｂは、図２に示した軒樋に対して図３に示したカバーを取り付ける手順を示す図である。
【図５Ｃ】図５Ｃは、図２に示した軒樋に対して図３に示したカバーを取り付ける手順を示す図である。
【図６】図６は、図５Ｃを前枠の長手軸に沿う方向から見た図である。
【図７】図７は、図２に示した軒樋と同一の種類に分類される他の軒樋へのカバーの取付態様を示す図である。
【図８】図８は、図２に示した軒樋とは異なる種類に分類される他の軒樋へのカバーの取付態様を示す図である。
【図９】図９は、図２に示した軒樋とは異なる種類に分類される他の軒樋へのカバーの取付態様を示す図である。
【発明を実施するための形態】
【００１４】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１５】
〔屋根構造体の概略構成〕
図１は、本発明の実施の形態に係るテラス屋根１を示す斜視図である。
なお、図１では、説明の便宜上、本発明に係る屋根構造体として、テラス屋根１を例示している。
図１に示すように、建物１００の屋外には、当該建物１００における掃き出し窓１０１を有する外壁１０２に隣接してテラス１０３が設けられている。そして、テラス屋根１は、外壁１０２から張り出す態様で、テラス１０３上に設けられている。
ここで、以下に記載する「上下方向」は、テラス屋根１が設けられた状態で上下となる方向を意味する。また、以下に記載する「左右方向」は、外壁１０２を基準として当該外壁１０２に沿う左右となる方向を意味する。さらに、以下に記載する「前後方向」は、外壁１０２を基準として当該外壁１０２に近接離間する方向を意味する（外壁１０２に近接する方向が「後方」、外壁１０２から離間する方向が「前方」）。
【００１６】
このテラス屋根１は、図１に示すように、一対の支柱２と、当該一対の支柱２に支持される屋根３とを備える。
一対の支柱２は、アルミニウム合金によって成形した押し出し形材であり、全長に亘って略一様な断面形状を有する。そして、一対の支柱２は、その長手方向がそれぞれ上下方向となり、左右方向に所定の間隔を空けて、テラス１０３上にそれぞれ立設されている。
【００１７】
屋根３は、図１に示すように、一対の支柱２に支持される屋根フレーム４と、屋根フレーム４に保持される３枚の屋根材５とを備える。
屋根フレーム４は、垂木掛６と、前枠７と、２本の側枠８と、２本の垂木９と、６本の野縁１０とを備える。
これら各部材６〜１０は、支柱２と同様に、アルミニウム合金によって成形した押し出し形材であり、全長に亘って略一様な断面形状を有する。
なお、屋根フレーム４については、外壁１０２に固定した構造としてもよく、あるいは、外壁１０２に固定しない構造（テラス屋根１を外壁１０２に固定せずに独立構造体とした構成）としても構わない。
【００１８】
垂木掛６は、その長手方向が左右方向を向くように、外壁１０２に沿って配設される。
前枠７は、その長手方向が垂木掛６に平行となるように、垂木掛６の前方側に所定間隔、離間した位置に配設される。なお、前枠７の具体的な構成については、後述する。
２本の側枠８は、左右方向に互いに対向するように配設され、垂木掛６及び前枠７の端部同士を繋ぐ部材である。
２本の垂木９は、２本の側枠８間において、その長手方向が側枠８に平行となり、かつ、等間隔となるように配設され、垂木掛６及び前枠７間に架け渡された部材である。
６本の野縁１０は、側枠８と垂木９との間、及び垂木９同士の間において、その長手方向が垂木掛６及び前枠７に平行となり、かつ、等間隔となるように２本ずつ配設され、側枠８と垂木９との間、及び垂木９同士の間にそれぞれ架け渡された部材である。
そして、屋根フレーム４は、一対の支柱２の各上端が前枠７に固定されることにより、当該一対の支柱２に支持される。そして、屋根フレーム４は、一対の支柱２に支持された状態で、前枠７が垂木掛６よりも下方に位置し、前方に向かうにしたがって下方に傾斜した状態となる。すなわち、前枠７は、本発明に係る「屋根の下縁」に相当する。
【００１９】
３枚の屋根材５は、長方形状を有するポリカーボネート板や熱線遮断ポリカーボネート板でそれぞれ構成され、垂木掛６、前枠７、側枠８、及び垂木９で囲まれる２つの矩形領域と、垂木掛６、前枠７、及び２本の垂木９で囲まれる１つの矩形領域とにそれぞれ配置される。
【００２０】
〔前枠の構成〕
次に、前枠７の構成について説明する。
図２は、前枠７を示す斜視図である。
前枠７は、図２に示すように、前枠本体７１と、前枠本体７１の前方側に張り出した樋部７２とを備える。
前枠本体７１は、前枠下方壁部７１１と、前枠前方壁部７１２と、前枠後方壁部７１３と、前枠上方壁部７１４とを備える。
前枠下方壁部７１１は、前枠本体７１における下方に位置し、略平板形状を有する。そして、前枠下方壁部７１１には、一対の支柱２の各上端が固定される（図６参照）。
前枠前方壁部７１２は、前枠下方壁部７１１における前方側の縁部から上方に向けて屈曲して延在した略平板形状を有する。より具体的に、前枠前方壁部７１２は、前枠下方壁部７１１に対して９０°よりも若干小さい鋭角をなし、上方に向かうにしたがって後方に傾斜している。
【００２１】
前枠後方壁部７１３は、前枠下方壁部７１１における後方側の縁部から上方に向けて屈曲して延在した略平板形状を有する。そして、前枠後方壁部７１３には、２本の側枠８、及び２本の垂木９の各端部が固定される（図６参照）。
前枠上方壁部７１４は、前枠前方壁部７１２における上方側の縁部と前枠後方壁部７１３における上方側の縁部とを接続する略平板形状を有する。
この前枠上方壁部７１４の上面には、上方に向けて突出し、さらに、後方に向けて屈曲して延在する押さえ部７１４１が設けられている。そして、押さえ部７１４１と前枠上方壁部７１４の上面とで囲まれる空間には、屋根材５の前方側の縁部が挿入される（図６参照）。
【００２２】
樋部７２は、前枠下方壁部７１１における前方側の縁部から前枠前方壁部７１２の延在方向に沿って下方に向けて延在する延設部７２１と、延設部７２１における下方側の縁部から前方側に張り出した湾曲部７２２とを備える。
ここで、湾曲部７２２は、前枠７の長手軸に沿い、当該湾曲部７２２よりも後方側に位置する仮想的な軸（図示略）を中心とする略円弧状に湾曲した形状を有する。また、湾曲部７２２には、後述するカバー３０を取り付ける２つの取付ネジＳｃ１（図５Ａ〜図５Ｃ参照）がそれぞれ挿通される２つの挿通孔７２２１（図６参照）が形成されている。
【００２３】
そして、上述した前枠前方壁部７１２及び樋部７２は、屋根３を辿って流れ落ちた雨水等を集水する本発明に係る軒樋２０（図２）に相当する。また、軒樋２０において、湾曲部７２２における上方側の縁部と、前枠前方壁部７１２における上方側の縁部との間は、本発明に係る軒樋２０の開口２１（図２）に相当する。すなわち、軒樋２０は、前枠７に一体形成されている。なお、軒樋２０には竪樋（図示略）が連結され、軒樋２０にて集水された雨水等は、当該竪樋を介して排水される。
【００２４】
ここで、軒樋２０には、屋根３を辿って流れ落ちた雨水等を当該軒樋２０にて集水可能としつつ、屋根３を辿って落ちた雪や落ち葉等が軒樋２０の内部に入り込むことを防止するカバー３０を取付可能とする。
以下、カバー３０の構成について説明する。
【００２５】
〔カバーの構成〕
図３は、軒樋２０に取り付けられるカバー３０を示す分解斜視図である。
カバー３０は、図３に示すように、２つのベース部材３１と、当該２つのベース部材３１に支持されるカバー部材３２とを備える。
なお、２つのベース部材３１は、同一の形状を有しているため、以下では、同一の構成には同一の符号を付して、１つのベース部材３１のみを説明する。
ベース部材３１は、アルミニウム合金によって成形した押し出し形材であり、全長に亘って略一様な断面形状を有する。なお、ベース部材３１の全長は、軒樋２０の全長よりも小さく設定されている。そして、ベース部材３１は、軒樋２０の内部に取り付けられ、カバー部材３２を支持する。
【００２６】
図４は、ベース部材３１を当該ベース部材３１の長手軸に沿う方向から見た図である。
ベース部材３１は、図３または図４に示すように、ベース下方壁部３１１と、ベース前方壁部３１２と、ベース後方壁部３１３と、ベース上方壁部３１４と、第１，第２接続壁部３１５，３１６とを備える。
ベース下方壁部３１１は、ベース部材３１における下方に位置し、軒樋２０の内部にベース部材３１を取り付けた状態で当該軒樋２０の一部（湾曲部７２２）の内面形状に倣う略円弧状（ベース部材３１の長手軸に沿い、当該ベース部材３１の内部に位置する仮想的な軸（図示略）を中心とする略円弧状）に湾曲した形状を有する。
【００２７】
このベース下方壁部３１１の外面には、ベース部材３１の長手軸に沿って当該ベース部材３１の全長に亘って延在する４つの突条部３１１１〜３１１４が形成されている。
これら４つの突条部３１１１〜３１１４は、高さ寸法（ベース下方壁部３１１の外面からの高さ寸法）が略同一となるように設定され、ベース下方壁部３１１の外面において、略等間隔となるように設けられている。
そして、４つの突条部３１１１〜３１１４の各先端を結ぶ仮想的な面は、本発明に係る第１位置決め面ＰＳ１（図４）として機能する。
また、ベース下方壁部３１１において、４つの突条部３１１１〜３１１４のうち、中央に設けられた２つの突条部３１１２，３１１３の間には、上述した２つの取付ネジＳｃ１がそれぞれ螺合する２つのネジ孔３１１５（図４）が形成されている。
さらに、ベース下方壁部３１１の外面における２つのネジ孔３１１５の周縁には、スポンジ等で構成される止水材３１７（図４）がそれぞれ取り付けられている。
止水材３１７には、ネジ孔３１１５に対応させて、取付ネジＳｃ１が挿通される貫通孔３１７１（図４）が形成されている。
ここで、取付ネジＳｃ１は、本発明に係る取付具に相当する。また、ネジ孔３１１５は、本発明に係る取付用孔に相当する。
【００２８】
ベース前方壁部３１２は、ベース下方壁部３１１における前方側の縁部から上方に向けて屈曲して延在した略平板形状を有する。
第１接続壁部３１５は、ベース下方壁部３１１における後方側の縁部から上方に向けて屈曲して延在し、軒樋２０の内部にベース部材３１を取り付けた状態で当該軒樋２０の一部（前枠前方壁部７１２及び延設部７２１）の内面形状に倣う略平板形状を有する。
そして、第１接続壁部３１５の外面は、本発明に係る第２位置決め面ＰＳ２Ａ（図４）として機能する。
【００２９】
ベース後方壁部３１３は、第１接続壁部３１５の上方側の縁部から上方に向けてベース前方壁部３１２に平行するように屈曲して延在した略平板形状を有する。
このベース後方壁部３１３の外面には、ベース部材３１の長手軸に沿って当該ベース部材３１の全長に亘って延在する２つの突条部３１３１，３１３２が形成されている。
これら２つの突条部３１３１，３１３２は、上述した４つの突条部３１１１〜３１１４と略同一の形状を有し、ベース後方壁部３１３の外面において、当該ベース後方壁部３１３の上下両縁側にそれぞれ形成されている。
そして、２つの突条部３１３１，３１３２の各先端を結ぶ仮想的な面は、本発明に係る第２位置決め面ＰＳ２Ｂ（図４）として機能する。
【００３０】
第２接続壁部３１６は、ベース前方壁部３１２における上方側の縁部から上方で、かつ、後方に向けて屈曲して延在した略平板形状を有する。
そして、第２接続壁部３１５の外面は、本発明に係る第２位置決め面ＰＳ２Ｃ（図４）として機能する。
ベース上方壁部３１４は、ベース後方壁部３１３における上方側の縁部と第２接続壁部３１６における上方側の縁部とを接続する略平板形状を有する。
このベース上方壁部３１４の上面には、上方に向けてそれぞれ突出し、前後方向に互いに対向するように、ベース部材３１の全長に亘ってそれぞれ延在する２つの固定用突起部３１４１が設けられている。
【００３１】
以上説明したように、本実施の形態に係るベース部材３１は、１つの第１位置決め面ＰＳ１と、３つの第２位置決め面ＰＳ２Ａ〜ＰＳ２Ｃを有する。また、第１位置決め面ＰＳ１及び３つの第２位置決め面ＰＳ２Ａ〜ＰＳ２Ｃは、ベース部材３１の外面において、当該ベース部材３１の長手軸を中心とする周方向の異なる位置にそれぞれ設けられている。
【００３２】
カバー部材３２は、アルミニウム合金によって成形した押し出し形材であり、全長に亘って略一様な断面形状を有する。なお、カバー部材３２の全長は、ベース部材３１の全長よりも大きく、軒樋２０の全長と略同一となるように設定されている。
このカバー部材３２は、図３に示すように、後方側に位置する矩形平板状の後方カバー部３２１と、後方カバー部３２１における前方側の縁部から下方に向けて略直角に屈曲し、さらに、前方側に略直角に屈曲して延在した前方カバー部３２２とを備える。
ここで、前方カバー部３２２の前方側は、前方側に向かうにしたがって下方に傾斜するように形成されている。
また、前方カバー部２２２における下方側の面には、下方に向けてそれぞれ突出し、前後方向に互いに対向するように、カバー部材３２の全長に亘ってそれぞれ延在する２つの案内用突起部３２２１が設けられている。
これら２つの案内用突起部３２２１は、カバー部材３２をベース部材３１に取り付ける際に、２つの固定用突起部３１４１がその間に挿入される部分である。
そして、前方カバー部３２２において、２つの案内用突起部２２２１の間には、図３に示すように、表裏を貫通し、カバー部材３２をベース部材３１に取り付ける取付ネジＳｃ２がそれぞれ挿通される２つの挿通孔３２２２が形成されている。
【００３３】
〔軒樋に対するカバーの取付手順〕
次に、軒樋２０に対するカバー３０の取付手順について説明する。
図５Ａないし図５Ｃは、軒樋２０に対するカバー３０の取付手順を示す図である。図６は、図５Ｃを前枠７の長手軸に沿う方向から見た図である。
先ず、作業者は、図５Ａ及び図５Ｂに示すように、開口２１を介して、２つのベース部材３１を軒樋２０の内部に設置する。この際、図６に示すように、４つの突条部３１１１〜３１１４の各先端（第１位置決め面ＰＳ１（図４））を湾曲部７２２の内面に当接させる。また、第１接続壁部３１５の外面（第２位置決め面ＰＳ２Ａ（図４））を前枠前方壁部７１２及び延設部７２１における前方側の面に当接させる。これにより、２つのベース部材３１は、軒樋２０に対して位置決めされる。
【００３４】
次に、作業者は、図５Ａ及び図５Ｂに示すように、２つの取付ネジＳｃ１を２つの挿通孔７２２１及び２つの貫通孔３１７１にそれぞれ挿通し、２つのネジ孔３１１５にそれぞれ螺合する。これにより、２つのベース部材３１は、軒樋２０にそれぞれ固定される。この際、２つの止水材３１７は、２つのベース部材３１における各ベース下方壁部３１１の外面、及び湾曲部７２２の内面にてそれぞれ押し潰され、２つの挿通孔７２２１と２つの取付ネジＳｃ１との隙間をそれぞれ塞ぐ。これにより、軒樋２０で集水された雨水等が２つの挿通孔７２２１と２つの取付ネジＳｃ１との隙間を介して軒樋２０の外部に漏出することを防止している。
【００３５】
次に、作業者は、図５Ｃに示すように、２つの案内用突起部３２２１の間に２つの固定用突起部３１４１が挿入されるように、カバー部材３２を２つのベース部材３１の上方側にあてがう。そして、作業者は、２つの取付ネジＳｃ２を２つの挿通孔３２２２にそれぞれ挿入し、２つの固定用突起部３１４１間にそれぞれ螺合する。これにより、カバー部材３２は、図５Ｃ及び図６に示すように、開口２１から上方側に突出することなく当該開口２１の一部を閉塞した状態で、２つのベース部材３１に固定される。
以上の取付手順により、軒樋２０に対してカバー３０が取り付けられる。
【００３６】
ここで、本実施の形態に係るカバー３０は、軒樋２０とは異なる他の軒樋に対しても取付可能である。
以下、軒樋２０と同一の種類に分類される他の軒樋へのカバーの取付態様、及び軒樋２０とは異なる種類に分類される他の軒樋へのカバーの取付態様を順に説明する。
【００３７】
〔軒樋２０と同一の種類に分類される他の軒樋へのカバーの取付態様〕
図７は、軒樋２０と同一の種類に分類される他の軒樋２０Ａ〜２０Ｃへのカバー３０の取付態様を示す図である。具体的に、図７は、図６に対応した図である。
図７に示した軒樋２０Ａ〜２０Ｃは、軒樋２０と同一の種類に分類されるものである。具体的に、当該軒樋２０Ａ〜２０Ｃがそれぞれ一体形成された前枠７Ａ〜７Ｃは、テラス屋根１とは異なる製品（テラス屋根、カーポート等）にそれぞれ用いられる前枠である。そして、前枠７Ａ〜７Ｃは、前枠７に対して、前枠本体７１とは異なる形状の前枠本体７１Ａ〜７１Ｃをそれぞれ有しているが、軒樋２０Ａ〜２０Ｃの形状が軒樋２０と略同一の形状となっている。
このため、ベース部材３１は、図７に示すように、軒樋２０への取付態様（図５Ａ〜図５Ｃ，図６）と同様に、４つの突条部３１１１〜３１１４の各先端（第１位置決め面ＰＳ１（図４））と、第１接続壁部３１５の外面（第２位置決め面ＰＳ２Ａ（図４））とが軒樋２０Ａ〜２０Ｃの内面にそれぞれ当接することにより、軒樋２０Ａ〜２０Ｃに対してそれぞれ位置決めされる。また、ベース部材３１は、軒樋２０への取付態様と同様に、取付ネジＳｃ１を利用して、軒樋２０Ａ〜２０Ｃに対してそれぞれ固定される。
【００３８】
〔軒樋２０とは異なる種類に分類される他の軒樋へのカバーの取付態様〕
図８及び図９は、軒樋２０とは異なる種類に分類される他の軒樋２０Ｄ，２０Ｅへのカバー３０Ｄ，３０Ｅの取付態様をそれぞれ示す図である。具体的に、図８及び図９は、図６に対応した図である。
図８及び図９に示した軒樋２０Ｄ，２０Ｅは、軒樋２０とは異なる種類にそれぞれ分類されるものである。具体的に、当該軒樋２０Ｄ，２０Ｅがそれぞれ一体形成された前枠７Ｄ，７Ｅは、テラス屋根１とは異なる製品（テラス屋根、カーポート等）に用いられる前枠である。そして、前枠７Ｄ，７Ｅは、前枠７に対して、前枠本体７１及び樋部７２とはそれぞれ異なる形状の前枠本体７１Ｄ，７１Ｅ及び樋部７２Ｄ，７２Ｅをそれぞれ有している。
【００３９】
先ず、図８を参照して、軒樋２０Ｄへのカバー３０Ｄの取付態様について説明する。
ここで、前枠本体７１Ｄにおいて、前枠下方壁部７１１、前枠前方壁部７１２、及び押さえ部７１４１にそれぞれ対応する各部位を前枠下方壁部７１１Ｄ、前枠前方壁部７１２Ｄ、及び押さえ部７１４１Ｄとする（図８）。
そして、前枠前方壁部７１２Ｄは、図８に示すように、前枠下方壁部７１１Ｄにおける前方側の縁部から上方に向けて略直角に屈曲して延在した略平板形状を有する。すなわち、前枠前方壁部７１２Ｄは、前枠下方壁部７１１Ｄに対して略直交している。
また、押さえ部７１４１Ｄは、前枠前方壁部７１２Ｄの上方側の縁部から当該前枠前方壁部７１２Ｄの延在方向に沿って上方に向けて延在し、さらに、後方に向けて屈曲して延在した形状を有する。
【００４０】
また、樋部７２Ｄにおいて、延設部７２１及び湾曲部７２２にそれぞれ対応する各部位を延設部７２１Ｄ及び湾曲部７２２Ｄとする（図９）。
そして、延設部７２１Ｄは、図８に示すように、前枠下方壁部７１１Ｄにおける前方側の縁部から前枠前方壁部７１２Ｄの延在方向に沿って下方に向けて延在する。
湾曲部７２２Ｄは、湾曲部７２２と同様に、延設部７２１Ｄにおける下方側の縁部から前方側に張り出し、当該湾曲７２２Ｄよりも後方側に位置する仮想的な軸（図示略）を中心とする略円弧状に湾曲した形状を有する。
以上説明した前枠前方壁部７１２Ｄ、押さえ部７１４１Ｄ、及び樋部７２Ｄにより、軒樋２０Ｄが形成される。なお、湾曲部７２２Ｄにおける上方側の縁部と、押さえ部７１４１Ｄにおける上方側の部位との間は、本発明に係る軒樋２０Ｄの開口２１Ｄ（図８）に相当する。
【００４１】
そして、ベース部材３１は、図８に示すように、軒樋２０への取付態様（図５Ａ〜図５Ｃ，図６）とは異なり、４つの突条部３１１１〜３１１４の各先端（第１位置決め面ＰＳ１（図４））が湾曲部７２２Ｄの内面に当接し、２つの突条部３１３１，３１３２の各先端（第２位置決め面ＰＳ２Ｂ（図４））が前枠前方壁部７１２Ｄ及び押さえ部７１４１Ｄにおける前方側の面に当接することにより、軒樋２０Ｄに対して位置決めされる。また、ベース部材３１は、軒樋２０への取付態様と同様に、取付ネジＳｃ１を利用して、軒樋２０Ｄに対して固定される。
【００４２】
なお、カバー３０Ｄは、図８に示すように、上述したカバー部材３２とは異なるカバー部材３２Ｄが用いられる。具体的に、カバー部材３２Ｄは、上述したカバー部材３２に対して、後方カバー部３２１が省略された形状を有するものである。当該カバー部材３２Ｄは、上述したカバー３０と同様に、取付ネジＳｃ２を利用して、ベース部材３１に固定される。この状態では、カバー部材３２Ｄは、上述したカバー３０と同様に、開口２１Ｄから上方側に突出することなく、当該開口２１Ｄの一部を閉塞した状態となる。
【００４３】
次に、図９を参照して、軒樋２０Ｅへのカバー３０Ｅの取付態様について説明する。
ここで、前枠本体７１Ｅにおいて、前枠下方壁部７１１、前枠前方壁部７１２、及び押さえ部７１４１にそれぞれ対応する各部位を前枠下方壁部７１１Ｅ、前枠前方壁部７１２Ｅ、及び押さえ部７１４１Ｅとする（図９）。
そして、前枠前方壁部７１２Ｅは、図９に示すように、前枠下方壁部７１１Ｅにおける前方側の縁部から上方に向けて略直角に屈曲して延在した略平板形状を有する。すなわち、前枠前方壁部７１２Ｅは、前枠下方壁部７１１Ｅに対して略直交している。
また、押さえ部７１４１Ｅは、前枠前方壁部７１２Ｄの上方側の縁部から前方に張り出すように延在し、さらに、後方に向けて屈曲して延在した形状を有する。
【００４４】
また、樋部７２Ｅは、前枠下方壁部７１１Ｅにおける前方側の縁部から当該前枠下方壁部７１１Ｅの延在方向に沿って前方に向けて延在する水平壁部７２３と、水平壁部７２３における前方側の縁部から上方に向けて略直角に屈曲して延在する鉛直壁部７２４とを備える。
以上説明した前枠前方壁部７１２Ｅ、押さえ部７１４１Ｅ、及び樋部７２Ｅにより、軒樋２０Ｅが形成される。なお、鉛直壁部７２４における上方側の縁部と、押さえ部７１４１Ｅにおける上方側の部位との間は、本発明に係る軒樋２０Ｅの開口２１Ｅ（図９）に相当する。
【００４５】
そして、ベース部材３１は、図９に示すように、軒樋２０への取付態様（図５Ａ〜図５Ｃ，図６）とは異なり、２つの突条部３１１２，３１１３の各先端（第１位置決め面ＰＳ１（図４））が水平壁部７２３の内面に当接し、第２接続壁部３１６の外面（第２位置決め面ＰＳ２Ｃ（図４））が鉛直壁部７２４の内面に当接することにより、軒樋２０Ｅに対して位置決めされる。また、ベース部材３１は、軒樋２０への取付態様と同様に、取付ネジＳｃ１を利用して、軒樋２０Ｅに対して固定される。
【００４６】
なお、カバー３０Ｅは、図９に示すように、上述したカバー部材３２とは異なり、図８に示したカバー部材３２Ｄが用いられる。具体的に、カバー部材３２Ｄは、図８で示した取付態様とは異なり、前方カバー部３２２が後方に位置するように、取付ネジＳｃ２を利用して、ベース部材３１に固定される。この状態では、カバー部材３２Ｄは、上述したカバー３０と同様に、開口２１Ｅから上方側に突出することなく、当該開口２１Ｅの一部を閉塞した状態となる。
【００４７】
以上説明した本実施の形態に係るカバー３０，３０Ｄ，３０Ｅでは、形状の異なる複数種類の軒樋２０，２０Ａ〜２０Ｅに対して第１位置決め面ＰＳ１を共通に用いつつ、複数種類の軒樋２０，２０Ａ〜２０Ｅの種類毎に、異なる第２位置決め面ＰＳ２Ａ〜ＰＳ２Ｃを用いている。
したがって、本実施の形態に係るカバー３０，３０Ｄ，３０Ｅによれば、形状の異なる複数種類の軒樋２０，２０Ａ〜２０Ｅにそれぞれ用いることができ、汎用性を向上させることができる、という効果を奏する。
特に、第１位置決め面ＰＳ１及び第２位置決め面ＰＳ２Ｂは、４つの突条部３１１１〜３１１４の各先端、及び２つの突条部３１３１，３１３２の各先端でそれぞれ構成されている。このため、軒樋２０，２０Ａ〜２０Ｅで集水された雨水等は、２つの突条部３１１１，３１１２の間、２つの突条部３１１３，３１１４の間、及び２つの突条部３１３１，３１３２の間を通過することが可能となる。すなわち、軒樋２０，２０Ａ〜２０Ｅで集水された雨水等の排水に際し、ベース部材３１が障害となることがない。
【００４８】
また、本実施の形態に係るカバー３０，３０Ｄ，３０Ｅでは、ベース部材３１は、１つの第１位置決め面ＰＳ１と、３つの第２位置決め面ＰＳ２Ａ〜ＰＳ２Ｃのうちの１つの第２位置決め面との２つの位置決め面のみで軒樋２０，２０Ａ〜２０Ｅにそれぞれ位置決めされる。
このため、必要最低限の数の位置決め面を用いて、軒樋２０，２０Ａ〜２０Ｅに対してベース部材３１をそれぞれ容易に位置決めすることができる。また、１種類の軒樋に対して１つの第２位置決め面を用いるため、軒樋の種類に応じた数だけ第２位置決め面をベース部材３１の外面に設ければよく、ベース部材３１の外面形状が複雑化することがない。
【００４９】
また、本実施の形態に係るカバー３０，３０Ｄ，３０Ｅでは、第１位置決め面ＰＳ１、及び３つの第２位置決め面ＰＳ２Ａ〜ＰＳ２Ｃは、ベース部材３１の外面において、当該ベース部材３１の長手軸を中心とする周方向の異なる位置にそれぞれ設けられている。
このため、軒樋２０，２０Ａ〜２０Ｅの内面に対して第１，第２位置決め面ＰＳ１，ＰＳ２Ａ〜ＰＳ２Ｃを当接すれば、当該第１，第２位置決め面ＰＳ１，ＰＳ２Ａ〜ＰＳ２Ｃによりベース部材３１の回転を抑制し、当該軒樋２０，２０Ａ〜２０Ｅに対して当該ベース部材３１を適切に位置決めすることができる。
【００５０】
また、本実施の形態に係るカバー３０，３０Ｄ，３０Ｅでは、カバー部材３２，３２Ｄは、ベース部材３１とは別体で構成されるとともに、複数種類の軒樋２０，２０Ａ〜２０Ｅの種類毎に、異なるカバー部材３２，３２Ｄが用いられる。
このため、カバー部材３２，３２Ｄを複数種類の軒樋２０，２０Ａ〜２０Ｅの種類に応じて使い分けることができ、いずれの種類の軒樋に対しても、当該軒樋２０，２０Ａ〜２０Ｅの開口２０，２０Ｄ，２０Ｅの一部をそれぞれ適切に閉塞することができる。
特に、カバー部材３２，３２Ｄは、ベース部材３１に取り付けられた状態で、開口２１，２１Ｄ，２１Ｅから上方側に突出することなく、当該開口２１，２１Ｄ，２１Ｅの一部をそれぞれ閉塞する。このため、屋根３上に積もった雪の雪下ろしをする際に、当該雪下ろしに用いる道具がカバー３０，３０Ｄ，３０Ｅに引っ掛かることがなく、雪下ろしを円滑に行うことができる。
【００５１】
（その他の実施の形態）
ここまで、本発明を実施するための形態を説明してきたが、本発明は上述した実施の形態によってのみ限定されるべきものではない。
上述した実施の形態において、ベース部材３１の形状は、上述した実施の形態で説明した形状に限られない。例えば、上述した実施の形態では、第２位置決め面ＰＳ２Ａ〜ＰＳ２Ｃの数を３つ設けた構成としたが、第２位置決め面の数は、３つに限られず、２つ、あるいは、４つ以上設けた構成を採用しても構わない。また、軒樋２０，２０Ａ〜２０Ｅに対するベース部材３１の位置決めの際、２つ以上の第２位置決め面を用いても構わない。
【００５２】
上述した実施の形態では、カバー３０，３０Ｄ，３０Ｅは、ベース部材３１を２つ備えていたが、これに限られず、ベース部材３１を１つ、あるいは、４つ以上備えた構成としても構わない。
【００５３】
上述した実施の形態では、ベース部材３１とカバー部材３２，３２Ｄとが別体で構成されていたが、これに限られず、一体形成された構成を採用しても構わない。
【００５４】
上述した実施の形態では、軒樋２０，２０Ａ〜２０Ｅは、前枠７，７Ａ〜７Ｅに一体形成されていたが、これに限られず、前枠とは別体で設けた構成を採用しても構わない。
【符号の説明】
【００５５】
１  テラス屋根（屋根構造体）、３  屋根、２０，２０Ａ〜２０Ｅ  軒樋、２１，２１Ｄ，２１Ｅ  開口、３０，３０Ｄ，３０Ｅ  カバー、３１  ベース部材、３２，３２Ｄ  カバー部材、３１１５  取付用孔、ＰＳ１  第１位置決め面、ＰＳ２Ａ〜ＰＳ２Ｃ  第２位置決め面、Ｓｃ１  取付ネジ（取付具）
【図１】
0006521878.tif 000002
【図２】
0006521878.tif 000003
【図３】
0006521878.tif 000004
【図４】
0006521878.tif 000005
【図５Ａ】
0006521878.tif 000006
【図５Ｂ】
0006521878.tif 000007
【図５Ｃ】
0006521878.tif 000008
【図６】
0006521878.tif 000009
【図７】
0006521878.tif 000010
【図８】
0006521878.tif 000011
【図９】
0006521878.tif 000012